(57)【要約】【課題】デジタルデータ再生装置において、再生できないデジタルデータを自動的に消去し、装置の動作の中断を抑止する。【解決手段】デジタルデータ再生装置において、記憶媒体からデジタルデータと識別データを読み出す読み出し手段と、デジタルデータを復調する復調手段と、復調可能なデジタルデータの種類を示す識別データを記憶する記憶手段と、読み出した識別データが記憶手段に記憶されたデータであるか否かを判別する識別データ判別手段と、デジタルデータの復調結果を判別する復調結果判別手段と、識別データ判別手段の判別結果に基づいて復調機能を切り換え、復調結果を誤りと判別したとき復調機能を切り換えてデジタルデータを復調させ、復調結果判別手段が復調結果を正しいと判別したとき識別データを当該識別データに変更させ、全ての復調機能で復調結果を誤りと判別したとき当該デジタルデータ及び識別データを消去させる制御手段を備える。【選択図】      図１
2006072773.tif 000002
【特許請求の範囲】
【請求項１】
デジタルデータが該デジタルデータの種類を示す識別データと共に記憶された記憶媒体を再生するデジタルデータ再生装置において、記憶媒体からデジタルデータと識別データを読み出す読み出し手段と、複数の種類の復調機能を備え前記読み出し手段が読み出したデジタルデータを復調する復調手段と、前記復調手段が復調可能なデジタルデータの種類を示す識別データを記憶する識別データ記憶手段と、前記読み出し手段が読み出したデジタルデータの種類を示す識別データが前記識別データ記憶手段に記憶された識別データであるか否かを判別する識別データ判別手段と、前記復調手段によるデジタルデータの復調結果を判別する復調結果判別手段と、前記識別データ判別手段の判別結果に基づいて前記復調手段の復調機能を切り換えるとともに、前記復調結果判別手段によって復調結果が誤りであると判別された場合に前記復調手段の復調機能を切り換えてデジタルデータを前記復調手段に復調させ、前記復調結果判別手段によって復調結果が正しいと判別された場合に前記デジタルデータの識別データを復調結果が正しいと判別されたときの復調機能に対応する識別データに変更させ、前記復調手段が備える全ての復調機能において前記復調結果判別手段によって復調結果が誤りであると判別された場合に復調結果が誤りであると判別したデジタルデータ及び識別データを前記記憶媒体から消去させる制御手段とを備えることを特徴とするデジタルデータ再生装置。
【請求項２】
請求項１に記載のデジタルデータ再生装置であって、前記識別データは前記デジタルデータのファイル名の拡張子であることを特徴とするデジタルデータ再生装置。
【発明の詳細な説明】
【技術分野】
【０００１】
本発明は、ビデオデータ、オーディオデータ等のデジタルデータを再生するデジタルデータ再生装置に関するものである。
【背景技術】
【０００２】
ビデオデータ、オーディオデータ等の複数の種類のデジタルデータが記憶された記憶媒体を再生するために、デジタルデータの種類それぞれに対応する復調手段を備え、各デジタルデータのファイルに対するファイル名に付された拡張子によってデジタルデータの種類を識別し、再生しようとするデジタルデータの種類に応じて復調手段を切り換えて再生を行うことができるデジタルデータ再生装置がある（特許文献１参照）。
【０００３】
【特許文献１】特開２００１−２６５６３２公報
【発明の開示】
【発明が解決しようとする課題】
【０００４】
従来のデジタルデータ再生装置では、ファイル名に拡張子が誤って付与されたデジタルデータがある場合、その拡張子が復調可能と識別される拡張子であれば、復調手段を備えない種類のデジタルデータであったとしても拡張子に基づいて復調が開始されてしまい、誤った再生信号が出力されたり、再生装置の動作が中断し停止した状態になってしまったりすることがあった。このような再生動作が行われた場合の対処として、操作者が再生動作状態を確認し、再生し直すための操作等を行う必要があった。
【０００５】
特許文献１に開示された再生装置は、再生することができないデジタルデータが記憶媒体に記憶されていた場合、再生装置の動作が中断し停止した状態になることがある。例えば、操作者が再生し直す操作を行った後も、当該デジタルデータは記憶媒体にそのまま記憶されているため、手動で当該再生することができないデジタルデータを記憶媒体から消去する操作を行わなければ、再び再生装置が当該再生することができないデジタルデータの再生を試み、動作が中断し停止した状態になる虞があり、再生装置の使用に支障を生ずることがあった。
【課題を解決するための手段】
【０００６】
本発明の請求項１に記載のデジタルデータ再生装置は、デジタルデータが該デジタルデータの種類を示す識別データと共に記憶された記憶媒体を再生するデジタルデータ再生装置において、記憶媒体からデジタルデータと識別データを読み出す読み出し手段と、複数の種類の復調機能を備え前記読み出し手段が読み出したデジタルデータを復調する復調手段と、前記復調手段が復調可能なデジタルデータの種類を示す識別データを記憶する識別データ記憶手段と、前記読み出し手段が読み出したデジタルデータの種類を示す識別データが前記識別データ記憶手段に記憶された識別データであるか否かを判別する識別データ判別手段と、前記復調手段によるデジタルデータの復調結果を判別する復調結果判別手段と、前記識別データ判別手段の判別結果に基づいて前記復調手段の復調機能を切り換えるとともに、前記復調結果判別手段によって復調結果が誤りであると判別された場合に前記復調手段の復調機能を切り換えてデジタルデータを前記復調手段に復調させ、前記復調結果判別手段によって復調結果が正しいと判別された場合に前記デジタルデータの識別データを復調結果が正しいと判別されたときの復調機能に対応する識別データに変更させ、前記復調手段が備える全ての復調機能において前記復調結果判別手段によって復調結果が誤りであると判別された場合に復調結果が誤りであると判別したデジタルデータ及び識別データを前記記憶媒体から消去させる制御手段とを備えるものである。
【０００７】
本発明の請求項２に記載のデジタルデータ再生装置は、請求項１に記載のデジタルデータ再生装置であって、前記識別データは前記デジタルデータのファイル名の拡張子であるものである。
【発明の効果】
【０００８】
本発明のデジタルデータ再生装置によれば、再生できないデジタルデータを自動的に記憶媒体から消去し、デジタルデータ再生装置の動作の中断を抑止することができる。
【発明を実施するための最良の形態】
【０００９】
図１は、本発明のデジタルデータ再生装置の一実施例の構成を示すブロック図である。記憶媒体読み出し部１は、メモリカード等の記憶媒体が装着され、装着された記憶媒体に記憶されたデジタルビデオデータ、デジタルオーディオデータの読み出しを行い、データを消去する機能及びファイルの拡張子を変更する機能を備える。デコーダ２は、記憶媒体読み出し部１が記憶媒体から読み出したデジタルビデオデータ、デジタルオーディオデータを復調(デコード)する。出力部３は、デコーダ２がデコードしたデジタルビデオデータ、デジタルオーディオデータを複合しアナログ信号にＤＡ変換する。出力端子４は、出力部３がＤＡ変換したアナログ信号を出力する。
【００１０】
制御部５は、マイクロコンピュータであり、記憶媒体読み出し部１、デコーダ２、出力部３の動作を制御する。入力部６は、使用者が、再生するビデオデータやオーディオデータの指定、再生又は再生終了等の操作入力を行うための入力キーを備え、入力キーの操作信号を制御部５に入力する。表示部７は、制御部５が出力する表示データを表示する。
【００１１】
制御部５は、識別データ判別部５ａ、識別データ記憶部５ｂ、識別データ切換部５ｃ、復調結果判別部５ｄを備える。
ビデオデータ、オーディオデータは、ファイルとして記憶媒体に記憶される。ファイル名として、コンピュータのデータ記録用途で一般的に用いられるファイル名の形式、８文字のファイル名と３文字の拡張子を．(ドット)で区切った、AAAAAAAA.BBBの形式の文字列を用いる。３文字の拡張子は、ファイル単位で記憶されたデータの種類を識別するために用いられる。拡張子は、例えば、MPEG1の動画ファイルを表すMPG、MPEG Audioの音声付き静止画の音声部分ファイルを表すMPAなどがある。
識別データ判別部５ａは、識別データとして拡張子を判別して、データの種類別の複数の復調機能を備えたデコーダ２に対して、データの再生を開始する前に、再生しようとするデータの種類に適合した復調機能に切り換えて、データの種類に適した復調を行う。
【００１２】
図２は、図１に示す本実施例の構成のうち、デコーダ２と制御部５の詳細を示すブロック図である。デコーダ２は、データの種類に応じて復調機能を切り換えるため、デコーダＡ２ａ、デコーダＢ２ｂ、デコーダＣ２ｃを備え、スイッチ２ｓによって記憶媒体読み出し部１からの入力を切り換える。データの種類に適応したデコーダで復調を行い、出力部３へ出力する。デコーダ２は、デコーダＡ２ａ、デコーダＢ２ｂ、デコーダＣ２ｃに、各々のデコーダに適応しない種類のデータが入力された場合、デコードエラーデータを制御部５に出力する。スイッチ２ｓは、制御部５によって制御される。ここで、デコーダ２は、二とおりの構成を選択して実施することができる。一つは、デコーダ２の内部に、データの種類に応じた復調機能毎の回路、デコーダＡ２ａ、デコーダＢ２ｂ、デコーダＣ２ｃを備え、スイッチ２ｓで切り換える構成である。もう一つは、ＤＳＰ(Digital Signal Processor)を用いて、ＤＳＰ内部のプログラムによって、ＤＳＰの機能を、デコーダＡ２ａの備える復調機能、デコーダＢ２ｂの備える復調機能、デコーダＣ２ｃの備える復調機能に切り換える構成である。プログラムに記述される、デコーダＡ２ａ、デコーダＢ２ｂ、デコーダＣ２ｃの切り換え条件が、スイッチ２ｓの機能を果たし、見かけ上、デコーダＡ２ａ、デコーダＢ２ｂ、デコーダＣ２ｃを、スイッチ２ｓで切り換える構成と同等の機能を備える。
【００１３】
識別データ記憶部５ｂには、デコーダＡ２ａ、デコーダＢ２ｂ、デコーダＣ２ｃ各々が、各デコーダによって復調することができるデジタルデータの拡張子と対応づけられて記憶されている。識別データ判別部５ａは、再生前に、記憶媒体読み出し部１からスイッチ２ｓを介して入力されるファイルの拡張子を読み取り、識別データ記憶部５ｂに、読み取った拡張子と対応づけて記憶されたデコーダＡ２ａ、デコーダＢ２ｂ、又はデコーダＣ２ｃに切り換えるようにスイッチ２ｓを制御する。スイッチ２ｓによって記憶媒体読み出し部１から入力されるデータは、デコーダＡ２ａ、デコーダＢ２ｂ、デコーダＣ２ｃのいずれか１つによってデータの種類に適合した復調がされて、出力部３へ出力される。
【００１４】
識別データ切換部５ｃには、デコーダ２で復調可能なデータの種類を示す識別データが記憶される。復調結果判別部５ｄは、デコーダ２で復調されるビデオデータ、オーディオデータの復調結果を、デコーダ２から制御部５に入力されるデコードエラーデータによって判別する。制御部５は、復調結果判別部５ｄの判別結果によって、ビデオデータ、オーディオデータが正しく復調できた場合には、デコーダ２にそのまま復調を続行させ、ビデオデータ、オーディオデータが正しく復調できなかった場合には、デコーダ２の復調を停止させ、識別データ切換部によって、復調できなかったビデオデータ、オーディオデータの識別データをデコーダ２が復調可能な他の識別データに切り換え、当該他の識別データに関係づけて識別データ記憶部５ｂに記憶された復調機能(デコーダＡ２ａの備える復調機能、デコーダＢ２ｂの備える復調機能、デコーダＣ２ｃの備える復調機能のいずれか)にデコーダ２を切り換えて、復調を再開する。
【００１５】
図３は、図１及び図２に示す本発明の一実施例のデジタルデータ再生装置の動作を示すフローチャートである。装置に電源が投入されると動作を開始し(Ｓ１)、入力部６の操作キーから再生開始等の指示が入力されると(Ｓ２でＹＥＳ)、制御部５は、記憶媒体読み出し部１に記憶媒体から入力部６によって再生指示されたファイルを識別データ(拡張子)とともに読み取らせ(Ｓ３)、ファイル及び拡張子を正常に読み取れないと判別した場合(Ｓ４でＮＯ)には、制御部５内に予め設定された回数(例えば、３回)までファイル及び拡張子の読み取りを記憶媒体読み出し部１に繰り返し行わせ(Ｓ７、Ｓ３)、それでもファイル及び拡張子を正常に読み取ることができないと判別した場合は(Ｓ４でＮＯ、Ｓ７でＹＥＳ)、ファイルエラーとして表示部７にファイルエラーを示す表示をさせ(Ｓ８)、Ｓ２の入力部６からの再生開始等の指示の入力待ちの処理に戻る。
【００１６】
制御部５が、ファイルを拡張子とともに正常に読み取ったと判別した場合(Ｓ４でＹＥＳ)には、識別データ判別部５ａは、読み取った拡張子と識別データ記憶部５ｂに記憶された拡張子を比較し再生可能なファイルかどうかを判別する(Ｓ５)。識別データ判別部５ａが判別した結果、記憶媒体読み出し部１が読み取ったファイルが識別データ記憶部５ｂに記憶された拡張子を備える再生可能なファイルであれば、その拡張子に対応して識別データ記憶部５ｂに記憶されたデコーダＡ２ａ、デコーダＢ２ｂ、又はデコーダＣ２ｃのいずれかに、デコーダ２の復調機能を切り換えた(Ｓ６)後、ビデオデータ、オーディオデータの再生を開始する(Ｓ１１)。
【００１７】
ビデオデータ、オーディオデータの再生開始後、制御部５は、デコーダ２で復調されたデータが正しく再生できたかどうかを判別する(Ｓ１２)。正しく再生できたと判別した場合には(Ｓ１２でＹＥＳ)、ビデオデータ、オーディオデータを再生し終わるまで再生を続行した後(Ｓ１３、Ｓ１４)、再生を終了する(Ｓ１５)。制御部５は、記憶媒体読み出し部１を制御して、再生したファイルの拡張子を正しく再生できた拡張子に変更して記憶媒体に記憶させる(Ｓ１６)。次の再生を行う場合には、Ｓ２の入力部６からの再生開始等の指示の入力待ちの処理に戻る(Ｓ２１でＹＥＳ)。次の再生を行わない場合(Ｓ２１でＮＯ)には、そのまま終了する(Ｓ２２)。
【００１８】
ビデオデータ、オーディオデータの再生を開始した後、復調結果判別部５ｄがデコーダ２からデコードエラーデータが入力されたことによって復調結果にビデオデータ、オーディオデータが正しく復調できないという誤りがあったと判別し、即ち、ビデオデータ、オーディオデータが正しく再生できていないと判別した場合には(Ｓ１２でＮＯ)、再生を停止し(Ｓ１７)、制御部５は、識別データ切換部５ｃに記憶された切換可能な拡張子に対応するデコーダ２の復調機能全てに切り換えたかどうかを判別し(Ｓ１８)、まだ切り換えていない拡張子に対応するデコーダ２の復調機能があれば(Ｓ１８でＮＯ)、まだ切り換えていない拡張子に対応づけて識別データ記憶部５ｂに記憶された復調機能にデコーダ２を切り換えて(Ｓ１９)、再生を開始する(Ｓ１１)。ファイルの拡張子の付与誤りなどがあった場合であっても、この処理により、ファイルの拡張子を修正する操作を要さず、その場でデコーダ２の復調機能を切り換えて再生を試みることができる。
【００１９】
制御部５は、識別データ切換部５ｃに記憶された切換可能な拡張子に対応するデコーダ２の復調機能全てに切り換えたかどうかを判別し(Ｓ１８)、全ての復調機能の再生を開始して再生できなかった場合は(Ｓ１８でＹＥＳ)、表示部７にファイル消去の表示をさせ、制御部５は、記憶媒体読み出し部１を制御して記憶媒体から当該ファイルを消去した後、Ｓ２の入力部６からの再生開始等の指示の入力待ちの処理に戻る。
【００２０】
識別データ記憶部５ｂに記憶された拡張子を備えていないファイル、即ち再生可能なファイルでない場合(Ｓ５でＮＯ)に、強制的にそのファイルの再生を行うための操作が入力部６からあった場合(Ｓ９でＹＥＳ)には、制御部５から自動的に、又は入力部６からの操作入力によって、デコーダ２の復調機能を切り換えて(Ｓ１０)、ビデオデータ、オーディオデータの再生を開始する(Ｓ１１)。ビデオデータ、オーディオデータの再生を開始した後は、既に述べたＳ１２以降の処理を行う。拡張子の付与誤りがあった場合であっても、この処理により対応することができる。
【００２１】
識別データ記憶部５ｂに記憶された拡張子を備えていないファイル、即ち再生可能なファイルでない場合(Ｓ５でＮＯ)であって、ビデオデータ、オーディオデータを再生しない場合(Ｓ９でＮＯ)、次のビデオデータ、オーディオデータの再生を行う場合には、Ｓ２の入力部６からの再生開始等の指示の入力待ちの処理に戻る(Ｓ２１でＹＥＳ)。次のビデオデータ、オーディオデータの再生を行わない場合(Ｓ２１でＮＯ)には、そのまま終了する(Ｓ２２)。
【００２２】
上記の実施例は、入力部の操作により再生開始する構成としたが、入力部の操作がなくても、電源を入れたときに記憶媒体が既に再生装置に挿入されている場合、または電源を入れた後最初に記憶媒体が再生装置に挿入された場合に、制御部５によって自動的に再生開始する構成として実施することもできる。その場合、例えば、ファイルに記録された順番、又はファイル名の並び順によって、最初のファイルから再生を開始する。上記の実施例は、再生するファイル毎に拡張子を読み出す構成としたが、再生前に、記憶媒体に記憶された全ファイルの拡張子を予め読み出して制御部５内に記憶しておく構成として実施することもできる。
【図面の簡単な説明】
【００２３】
【図１】本発明のデジタルデータ再生装置の一実施例の構成を示すブロック図である。
【図２】本発明のデジタルデータ再生装置の一実施例の構成を示すブロック図である。
【図３】本発明のデジタルデータ再生装置の一実施例の動作を示すフローチャートである。
【符号の説明】
【００２４】
１ 記憶媒体読み出し部
２ デコーダ
３ 出力部
４ 出力端子
５ 制御部
６ 入力部
７ 表示部
【図１】
2006072773.tif 000003
【図２】
2006072773.tif 000004
【図３】
2006072773.tif 000005